(57)【要約】【課題】満杯検知センサーといった物理的な機構を要することなく、排紙トレイ上の用紙の満杯検知を行う。【解決手段】本発明における用紙排出装置は、排出トレイ上の排出用紙の満杯検知を行う用紙排出装置であって、排出トレイ上に用紙を排出する排出手段と、前記排出手段により用紙が排出される毎に、累積排出枚数をカウントするカウント手段と、規定排出枚数閾値と、規定排出間隔時間値とを記憶した記憶手段と、前記カウント手段によりカウントされた累積排出枚数が、前記排出枚数閾値を越えたとき、排出トレイ上の排出用紙は満杯であると検知する満杯検知手段と、前記排出手段により１の用紙が排出され次の用紙が排出されるまでの排出間隔時間が、前記規定排出間隔時間値を越えたとき、前記カウント手段によりカウントされていた累積排出枚数をリセットするリセット手段と、を有する。【選択図】図５
2015193484.tif 000002
【特許請求の範囲】
【請求項１】
排出トレイ上の排出用紙の満杯検知を行う用紙排出装置であって、
排出トレイ上に用紙を排出する排出手段と、
前記排出手段により用紙が排出される毎に、累積排出枚数をカウントするカウント手段と、
規定排出枚数閾値と、規定排出間隔時間値とを記憶した記憶手段と、
前記カウント手段によりカウントされた累積排出枚数が、前記排出枚数閾値を越えたとき、排出トレイ上の排出用紙は満杯であると検知する満杯検知手段と、
前記排出手段により１の用紙が排出され次の用紙が排出されるまでの排出間隔時間が、前記規定排出間隔時間値を越えたとき、前記カウント手段によりカウントされていた累積排出枚数をリセットするリセット手段と、
を有することを特徴とする用紙排出装置。
【請求項２】
前記記憶手段は、用紙の種類毎のカウント値を記憶し、
前記カウント手段は、
前記排出手段により排出された用紙の種類を判定し、判定した用紙の種類と、前記紙の種類毎のカウント値とに基づき、当該用紙の種類により特定されたカウント値を前記累積排出枚数にカウントアップすること、
を特徴とする請求項１記載の用紙排出装置。
【請求項３】
前記用紙の種類毎のカウント値は、
用紙の厚さが大きくなるにつれて、大きいカウント値が規定されること、
を特徴とする請求項２記載の用紙排出装置。
【請求項４】
前記規定排出枚数閾値又は規定排出間隔時間値は、変更可能であること、
を特徴とする請求項１ないし３何れか一項に記載の用紙排出装置。
【請求項５】
排出トレイ上の排出用紙の満杯検知を行う用紙排出装置における満杯検知方法であって、
排出トレイ上に用紙を排出する排出手順と、
前記排出手順により用紙が排出される毎に、累積排出枚数をカウントするカウント手順と、
規定排出枚数閾値と、規定排出間隔時間値とを記憶する記憶手順と、
前記カウント手順によりカウントされた累積排出枚数が、前記排出枚数閾値を越えたとき、排出トレイ上の排出用紙は満杯であると検知する満杯検知手順と、
前記排出手順により１の用紙が排出され次の用紙が排出されるまでの排出間隔時間が、前記規定排出間隔時間値を越えたとき、前記カウント手順によりカウントされていた累積排出枚数をリセットするリセット手順と、
を有することを特徴とする満杯検知方法。
【請求項６】
前記記憶手順は、用紙の種類毎のカウント値を記憶し、
前記カウント手順は、
前記排出手順により排出された用紙の種類を判定し、判定した用紙の種類と、前記紙の種類毎のカウント値とに基づき、当該用紙の種類により特定されたカウント値を前記累積排出枚数にカウントアップすること、
を特徴とする請求項５記載の満杯検知方法。
【請求項７】
請求項５又は６記載の満杯検知方法をコンピュータに実行させるためのプログラム。
【発明の詳細な説明】
【技術分野】
【０００１】
本発明は、用紙排出装置、満杯検知方法及びプログラムに関する。
【背景技術】
【０００２】
近年、複合機は、ＣＰＵの性能向上、メモリの大容量化、通信技術の高速化及びデジタル画像技術の高度化等、ＭＦＰに関連する技術の進化に伴い、単にデジタル複写機としての機能だけでなく、ネットワーク化されたファクシミリ、プリンタ及びスキャナ機能等の様々な機能を搭載し、利用者の環境において様々な場面で利用されている。
【０００３】
このようなプリンタや複合機などの画像形成装置（MFP：Multi-Function Peripheral）は、印刷・排出した用紙を保持するための排紙トレイを備えている。用紙排出口から排出された用紙は、ユーザにより回収されるまでの間、この排紙トレイ上で保持される。排紙トレイは主にＭＦＰ本体の用紙排出口の下部に位置しており、用紙が排出され続けていくとやがて用紙排出口がふさがれてしまうことになるため、排紙トレイ上で保持できる用紙枚数は一定の限りがある。もしも排紙トレイ上に排出された用紙が溜まる続けることにより用紙排出口がふさがれてしまった場合、その後の用紙排出動作を行うことはできず、用紙排出口付近で紙詰まりが発生する。
【０００４】
従来、この紙詰まりを未然に防ぐ方法として、用紙排出口付近に用紙の満杯を検知するセンサーを備えることにより、排紙トレイ上の用紙満杯を検知し、紙満杯が検知された場合にはＭＦＰの印刷・排出処理を一時停止するという技術が知られている。
【０００５】
また、ＭＦＰの中には、排紙トレイが上下駆動できるようになっているものもある。この場合、紙満杯が検知された場合には、排紙トレイを下方に駆動（移動）させ、排紙トレイ上で保持できる用紙枚数を一時的に増加させることにより、紙詰まりを未然に防ぐことができる。
【０００６】
またさらにＭＦＰの中には、複数の排紙トレイ上を備えるものもある。この場合、例えば上下２つの排紙トレイを有する構成において、下側の排紙トレイが指定された場合であっても、満杯検知センサーにより下側の排紙トレイの満杯検知が検知されると、上側の排紙トレイの方に排出するよう制御することで、紙詰まりを未然に防ぐことができる。
【０００７】
これらに関連する技術として、特許文献１には、排出センサーと満杯検知センサーを共通部品にて実現するもので、検知のためのフィラーの動きを工夫し、通常時は排出センサーとして働き、満杯時にはフィラーの角度が変わることにより満杯検知センサーとしても作動する発明が開示されている。
【発明の概要】
【発明が解決しようとする課題】
【０００８】
しかしながら、従来、上記いずれの満杯検知センサーは、物理的な機構を用いて実現されているため、特にローコスト型、スリム型のＭＦＰにおいて、いくつかの問題があった。例えば、満杯検知センサーは部品コスト、取り付けコストを要するため、ローコスト機を実現する際の負担となっている。また物理的な機構として設ける以上、稼動部分とセンサー部分からなる満杯検知センサーは、ＭＦＰ本体内においてこれを設置するための一定の体積（スペース）が必要である。スリム機を実現するためには、ほんの少しの体積であってもこれを削減することが望まれる。
【０００９】
なお上記特許文献１記載の発明は、排出センサーと満杯検知センサーを共通部品にて実現するため、満杯検知センサーは不要となることから、その分のコスト、体積低減に貢献するものである。但し、本発明のセンサーに用いるフィラーの構造は、従来の排出用のためだけのセンサーに比べ、フィラーが大きくなっており、排出センサー側のコスト（増）、体積（増）を負担する必要がある。
【００１０】
そこで、本発明では上記のような問題に鑑みて、満杯検知センサーといった物理的な機構を要することなく、排紙トレイ上の用紙の満杯検知を行う用紙排出装置、満杯検知方法及びプログラムを提供することを目的とする。
【課題を解決するための手段】
【００１１】
上記の目的を達成するために、本発明に係る用紙排出装置は、排出トレイ上の排出用紙の満杯検知を行う用紙排出装置であって、排出トレイ上に用紙を排出する排出手段と、前記排出手段により用紙が排出される毎に、累積排出枚数をカウントするカウント手段と、規定排出枚数閾値と、規定排出間隔時間値とを記憶した記憶手段と、前記カウント手段によりカウントされた累積排出枚数が、前記排出枚数閾値を越えたとき、排出トレイ上の排出用紙は満杯であると検知する満杯検知手段と、前記排出手段により１の用紙が排出され次の用紙が排出されるまでの排出間隔時間が、前記規定排出間隔時間値を越えたとき、前記カウント手段によりカウントされていた累積排出枚数をリセットするリセット手段と、を有することを特徴とする。
【発明の効果】
【００１２】
本発明によれば、満杯検知センサーといった物理的な機構を要することなく、排紙トレイ上の用紙の満杯検知を行う用紙排出装置、満杯検知方法及びプログラムを提供することができる。
【図面の簡単な説明】
【００１３】
【図１】本実施形態に係る画像形成装置１の外観図の一例を示す。
【図２】本実施形態に係る画像形成装置１のハードウェア構成の一例を示す。
【図３】本実施形態に係る画像形成装置１の一実施形態の主要機能を示す機能ブロック図である。
【図４】用紙種類別カウント値テーブル例を示す。
【図５】画像形成装置１の満杯検知を説明するシーケンス図である。
【図６】満杯検知時のディスプレイ画面例を示す。
【図７】本変形例に係る画像形成装置１の一実施形態の主要機能を示す機能ブロック図である。
【図８】ジョブリスト例を示す。
【図９】本変形例に係る画像形成装置１の満杯検知を説明するシーケンス図である。
【発明を実施するための形態】
【００１４】
以下、本発明を実施するための形態について図面を参照して説明する。なお、本実施の形態においては、本発明に係る用紙排出装置を画像形成装置に適用した例を示す。画像形成装置は、用紙排出装置を外付け又は内蔵できるからである。
【００１５】
[システム構成]
（ハードウェア）
ここで、本実施形態に係る画像形成装置１のハードウェア構成について説明しておく。図１は、本実施形態に係る画像形成装置１の外観図の一例を示す。本図ではＭＦＰの例を示すものであるが、用紙を排出する排出機構と、排出された排出用紙を保持する（受け止める）排出トレイとを備えるプリンタ装置などであっても、本発明を適用可能である。
【００１６】
図２は、本実施形態に係る画像形成装置１のハードウェア構成の一例を示す。本実施形態に係る画像形成装置１は、操作パネル１１と、記憶メディアＩ／Ｆ１２と、コントローラ１３と、データ通信Ｉ／Ｆ１４と、スキャナ１５と、プロッタ１６と、ＨＤＤ（Hard Disk Drive）１７とから構成され、それぞれ相互に接続されている。
【００１７】
操作パネル１１は、入力装置１１aと表示装置１１bとを有しており、入力装置１１aは、ハードキーなどで構成され、装置本体に各操作信号を入力するのに用いられる。また、表示装置１１bは、ディスプレイなどで構成され、例えば画像形成動作に関する各種情報を表示する。データ通信Ｉ／Ｆ１４は、インタフェース装置１４aを有しており、画像形成装置をネットワーク４やファックスなどのデータ伝送路に接続するインタフェースである。ＨＤＤ１７は、画像形成装置で取り扱われる受信文書データや読み取り画像データ、各アプリケーションにより利用されるデータなど、各種データを格納している。また、ＨＤＤ１７は、これらの各種データを、所定のファイルシステムやＤＢ（Data Base）により管理している。
【００１８】
コントローラ１３は、ＲＯＭ（Read Only Memory）１３a、ＲＡＭ（Random Access Memory）１３b、及びＣＰＵ（Central Processing Unit）１３cとを有しており、ＲＯＭ１３aは、画像形成装置が起動されるときに実行されるプログラムや各種データを格納している。また、ＲＡＭ１３bは、ＲＯＭ１３aやＨＤＤ１７から読み出された各種プログラムやデータを一時保持する。更に、ＣＰＵ１３cは、ＲＡＭ１３bが一時保持しているプログラムを実行する。コントローラ１３は、例えば、データ通信Ｉ／Ｆ１４を介して印刷データを受信した場合に、ＲＯＭ１３aからＲＡＭ１３b上に読み出された、ＰＤＬ（Page Description Language）を解釈可能なプログラム（ＰＤＬパーサ）をＣＰＵ１３cにより実行し、印刷データを解釈してビットマップイメージを生成する。
【００１９】
スキャナ１５は、画像読取装置１５aを有しており、読み取り面に配置された原稿を光学的に読み取り画像データを生成する。プロッタ１６は、印刷装置１６aを有しており、例えば、電子写真プロセス方式によってビットマップイメージを記録紙に印刷する。
【００２０】
このように、本実施形態に係る画像形成装置１は、上記ハードウェア構成により、コピー、スキャナ、プリント、ファクシミリなどの画像形成に係る機能を実現している。
【００２１】
（機能）
次に、本実施形態に係る画像形成装置１の主要機能構成についてそれぞれ簡単に説明する。図３は、本実施形態に係る画像形成装置１の一実施形態の主要機能を示す機能ブロック図である。画像形成装置１は、主要な機能として、画像描画部２１０、プリント部２２０、排出機構・排出トレイ２３０、及び、カウント部３１０、記憶部３２０、満杯検知部３３０、リセット部３４０を含み構成される。機能詳細は後述するためここでは簡潔に説明する。
【００２２】
画像描画部２１０は、印刷データにつきプリンタ言語を解釈した結果に基づいてビットマップイメージの描画を行う。上述のコントローラ１３の機能に相当する。
【００２３】
プリント部２２０は、プリンタエンジンＩ／Ｆ及びプリンタエンジンを含む印刷部である。プリント部２２０は、印刷要求を受けると、描画されたビットマップイメージを、例えば電子写真プロセス方式によって記録紙（用紙）に印刷する。上述のプロッタ１６の機能に相当する。
【００２４】
排出機構・排出トレイ２３０は、印刷された用紙を排出し保持するための排出機構及び排紙トレイである。用紙排出口から排出された用紙は、ユーザにより回収するまでの間は、この排紙トレイ上で保持される。上述のプロッタ１６の機能に含まれる。
【００２５】
カウント部３１０は、排出機構・排出トレイ２３０から、用紙が排出される毎に、累積排排出数３２３をカウントする機能を有している。なおまたカウント部３１０は、排出された用紙の種類を判定し、判定した用紙の種類と、紙の種類毎のカウント値（紙種類別カウント値テーブル３２４）とに基づき、当該用紙の種類により特定されたカウント値を累積排出枚数３２３にカウントアップする。詳細は後述するが、用紙の厚さが大きくなるにつれて、大きいカウント値がカウントアップされる。
【００２６】
記憶部３２０は、各種パラメータや値を保持するメモリである。本実施形態においては、規定排出枚数閾値３２１、規定排出間隔時間値３２２、累積排出枚数３２３、用紙種類別カウント値テーブル３２４が記憶されるが、これら具体例は後述する。
【００２７】
満杯検知部３３０は、カウント部３０１によりカウントされた累積排出枚数３２３が、排出枚数閾値３２１を越えたとき、排出トレイ上の排出用紙は満杯であると検知する。
【００２８】
リセット部３４０は、１の用紙が排出され次の用紙が排出されるまでの排出間隔時間をカウント（計測）しており、排出機構・排出トレイ２３０から、１の用紙が排出され次の用紙が排出されるまでの排出間隔時間が、規定排出間隔時間値３２２を越えたとき、カウントされていた累積排出枚数３２３をリセットする機能を有している。
【００２９】
以上これらの機能は、実際には画像形成装置１のＣＰＵ１３ｃが実行するプログラムによりコンピュータに実現させるものである。
【００３０】
（各種パラメータ）
記憶部３２０には、規定排出枚数閾値３２１、規定排出間隔時間値３２２、累積排出枚数３２３、用紙種類別カウント値テーブル３２４が保持されている。
【００３１】
・累積排出枚数
累積排出枚数３２３は、用紙排出口から、用紙が排出される毎に累積的にカウントされる用紙枚数をいう。例えば１０枚の用紙が排出され、また１００枚の用紙が排出されれば、累積排出枚数は１１０枚となる。なお累積排出枚数３２３は、一定の条件下でリセット（初期値化＝０）される。
【００３２】
・規定排出枚数閾値
規定排出枚数閾値３２１は、排出トレイに排出用紙が排出され続け、これ以上排出トレイ上に排出用紙を保持できない状態、つまり満杯状態であると規定される際の排出枚数をいう。規定排出枚数閾値３２１は、予め与えられている既知情報であるが、操作パネル１１からの操作等により任意に設定できるものとする。但し、規定排出枚数閾値３２１は排出トレイ上に何枚の用紙を保持できるのか（又は何枚以上は保持できないのか）を規定する閾値であるので、排出トレイ上から用紙排出口まで高さや用紙の厚さなどを考慮して決められる必要がある。
【００３３】
例えば、排出トレイ上から用紙排出口まで高さが、４５ｍｍ（ミリメートル）であるとすると、また普通紙が０．０８ｍｍであるので、単純に計算すれば、最大約５６２枚の普通紙を排出トレイ上に保持できることになる。この場合単純には、規定排出枚数閾値３２１は５６２枚と設定できるであろう。但し実際には、トナー付着の厚み：約０．０４ｍｍや、紙間：約０．０２ｍｍ、紙排出時の紙の弛み：約２５ｍｍなども考慮のうえ、最終的な規定排出枚数閾値３２１を決定する必要があることに注意する。
【００３４】
ここでは、排出トレイ上から用紙排出口まで高さは４５ｍｍとするものの、用紙排出時の紙の弛みを考慮し、排出トレイ上に載せられる用紙の上限高さを２５ｍｍとすると、普通紙の場合、トナー付着の厚み及び紙間を考慮のうえ、排出トレイ上に載せられる用紙の上限枚数は次の通りである。
25／(0.08＋0.04＋0.02）≒約178枚
以上よりここでは誤差を含め、規定排出枚数閾値３２１は、普通紙ベースで例えば「１５０」（枚）と規定する。
【００３５】
・規定排出間隔時間値
規定排出間隔時間値３２２は、用紙排出口から排出トレイ上へ１の用紙が排出され次の用紙が排出されるまでの排出間隔時間をいう。規定排出間隔時間値３２２は、累積排出枚数３２３をリセットする際の条件となる値であり、用紙排出口から１の用紙が排出され次の用紙が排出されるまでの排出間隔時間が、規定排出間隔時間値３２２を越えたとき、カウントされていた累積排出枚数３２３がリセットされる。
【００３６】
この規定排出間隔時間値３２２は、予め与えられている既知情報であるが、操作パネル１１からの操作等により任意に設定できるものとする。ここでは、規定排出間隔時間値３２２は、画像形成装置１の印刷処理速度等も考慮し、例えば「５」（秒）と規定する。１の印刷ジョブＡで複数枚の印刷命令が行われた場合、１の用紙が排出され次の用紙が排出されるまでは十分、５秒以内には連続的に用紙は排出される。よって累積排出枚数３２３はリセットされることなく累積的にカウントされ続ける。
【００３７】
そしてまたさらに、仮に続けて次の印刷ジョブＢを待機していた場合は、前の印刷ジョブＡを完了してから、次の印刷ジョブＢ分の１の用紙が排出されるまで十分、５秒以内に用紙は排出される。同様に次々と新たな印刷ジョブＣ・・を待機していた場合、５秒以内に次々と用紙が印刷され排出されていくので、累積排出枚数３２３はリセットされることなく累積的にカウントされ続ける。一方、印刷ジョブＡを完了してから、次の印刷ジョブＢを待機していない場合は、次の印刷ジョブＢを受けるまでの間しばらくは印刷、排出は停止するので、５秒が経過し、累積排出枚数３２３はリセットされる。つまり、連続的５秒以内に印刷ジョブを実行し続ける限り、累積排出枚数３２３はリセットされることなく累積的にカウントされ続けることになる。
【００３８】
用紙種類別カウント値テーブル３２４は、用紙の種類毎のカウント値が規定されたテーブルである。用紙種類別カウント値テーブル３２４は、用紙の種類毎の厚さに基づき定められた既知情報である。カウント部３１０は、排出された用紙の種類を判定し、判定した用紙の種類と、紙の種類毎のカウント値（紙種類別カウント値テーブル３２４）とに基づき、当該用紙の種類により特定されたカウント値を累積排出枚数３２３にカウントアップする。上述の規定排出枚数閾値３２１は、普通紙ベースで例えば「１５０」（枚）と規定したが、実際、画像形成装置１が扱える用紙にはいくつかの種類があり、それぞれ用紙の厚さが異なっているため、用紙の厚さが大きくなるにつれて、大きいカウント値をカウントアップする必要がある。
【００３９】
上述の計算によれば、排出トレイには普通紙を１５０枚（正確には１７８枚）載せることができるが、厚紙や封筒紙の場合、普通紙よりも厚みがあるので、排出トレイには載せることができる上限枚数は１５０枚（正確には１７８枚）を下回ることになる。従って、普通紙ベースのカウント値を１とし、普通紙の厚さと厚紙等の厚さに基づき算出した厚紙等のカウント値を規定しておくことにより、様々な種類の用紙が排出トレイ上に排出されても、普通紙ベースで上限枚数をカウントできるようになる。
【００４０】
図４は、用紙種類別カウント値テーブル例を示す。カウント値は、普通紙の厚さ：０．０８ｍｍを基準として、それぞれ用紙毎の厚さに比例して決定されるものであるが、ここでは説明を簡易にするため、図４のように各用紙の種類別カウント値を定めるものとする。例えば、厚紙が１枚排出されると、普通紙が１．５枚排出されたものとみなしてカウントされる。また例えば封筒（紙）が１枚排出されると、普通紙が２枚排出されたものとみなしてカウントされる。勿論、普通紙が１枚排出されると、普通紙が１枚排出されたとしてカウントされる。
【００４１】
[情報処理]
図５は、画像形成装置１の満杯検知を説明するシーケンス図である。以下図面を参照しながら説明していく。
【００４２】
まず用紙が排出されたかどうかが判定される（Ｓ５０１）。なお、用紙が排出されたかどうかの判定は、色々考えられる。また用紙の種類を判定することも併せて考慮する必要がある。例えば、プリント部２２０（エンジンＩ／Ｆ）へは、印刷ジョブ（印刷条件及び画像データを含む）が送られるので、これを取得し印刷枚数や用紙の種類の情報を把握することができし、そもそも操作パネル１１からのユーザ入力からも把握できる。またプリント部２２０は印刷を完了すると、プリント部２２０から排出機構２３０へ排出命令を行うので、ここで同様の情報を把握できる。またもしくは、上述のコントローラ１３は、全ての機能部の動作を制御しているため、このコントローラ１３によって同様の全情報を把握できる（本発明に係る満杯検知の機能をコントローラ１３に持たせる場合）。結局、装置の構成や設計に応じて、如何様にも用紙が排出されたかどうかを判定することは可能である。
【００４３】
カウント部３１０は、用紙が排出されると、用紙の種類を判定する（Ｓ５０２）。用紙の種類の判定方法は上述の如く装置の構成や設計に応じて判定されればよい。
【００４４】
続けてカウント部３１０は、用紙種類別カウント値テーブル３２４を参照し、用紙の種類に従って累積排出枚数３２３のカウントアップを行う（Ｓ５０３）。
【００４５】
満杯検知部３３０は、累積排出枚数３２３と規定排出枚数閾値３２１とを比較し、累積排出枚数３２３が、規定排出枚数閾値３２１を越えたかどうかを判定する（Ｓ５０４）。ここで累積排出枚数３２３が、規定排出枚数閾値３２１を越えたと判定した場合、排出トレイ上の排出用紙は満杯であると判断（検知）する（Ｓ５０８）。
【００４６】
一方、累積排出枚数３２３が、規定排出枚数閾値３２１を越えていない判定された場合は、リセット部３４０は、排出間隔時間のカウントを開始する（Ｓ５０５）。そして規定排出間隔時値３２２内に、新たな用紙が排出された場合（Ｓ５０６）、Ｓ５０１へ再び進み、同様にＳ５０１〜５０４までの処理を繰り返す。
【００４７】
一方、規定排出間隔時値３２２内に、新たな用紙が排出されない場合、リセット部３４０は、累積排出枚数３２３のリセット（初期化）を行う（Ｓ５０７）。つまり、新たな用紙が排出されることなく、規定排出間隔時値３２２を経過すれば、累積排出枚数３２３のリセットを行う。
【００４８】
なおＳ５０８にて、排出トレイ上の排出用紙は満杯であると判断（検知）された場合、続けて満杯検知時の制御を実施すればよい。従来例による満杯検知センサーによって満杯検知されたときと同様に、例えば、ＭＦＰの印刷・排出処理を一時中断（停止）したり、排紙トレイが独立に上下駆動できる場合は排紙トレイを下方に駆動（移動）させ排紙トレイ上で保持できる用紙枚数を一時的に増加させたり、またもしくは上下２つの排紙トレイを有する場合にはもう片側の排紙トレイの方に排出するよう制御することで、紙詰まりを未然に防ぐことができる。
【００４９】
なおまたＳ５０８にて、排出トレイ上の排出用紙は満杯であると判断（検知）された場合、画像形成装置１のディスプレイ（表示装置１１b）において、排出用紙は満杯である旨を通知・表示し、その後の対応を操作できるようにするとよい。
【００５０】
図６は、満杯検知時のディスプレイ画面例を示す。ユーザはディスプレイ画面のメッセージを確認し、「印刷継続」又は「ジョブリセット」を操作できる。「印刷継続」が押下されると、排紙トレイの満杯検知の状態が解除され、画像形成装置１は中断していた印刷を再開する。また「ジョブリセット」が押下されると、以後の印刷をキャンセルする。
【００５１】
[事例１]
これまでの説明を踏まえ具体的な事例を交えて、本実施形態に係る満杯検知を説明する。ここでの前提条件は以下の通りである。
・規定排出枚数閾値／１５０枚（普通紙ベース）
・規定排出間隔時間値／５秒
・用紙種類別カウント値テーブル／図４に従う
本実施形態に係る画像形成装置１において、ユーザ指示により、普通紙２００枚の印刷を行うとする印刷ジョブが発生したとする。このケースでは、用紙が印刷され排出される毎に、用紙の種類を判定され、普通紙であるので、用紙排出１枚ごとに１ずつ、累積排出枚数にカウントアップしていく。そして累積排出枚数１５１枚に到達した時点で、規定排出枚数閾値３２１を越えたと判定されることにより、排出トレイ上の排出用紙は満杯であると判断（検知）されることになる。その後は、紙詰まりを未然に防ぐべく、満杯検知時の制御が実施される。
【００５２】
この事例の場合、排出トレイ上に保持可能な上限の用紙枚数は普通紙１５０枚であるのにも拘らず、普通紙２００枚の印刷が指示された。実際、排出トレイ上には保持可能な上限の用紙枚数が排出されたものの、満杯検知（及び満杯検知時制御の実施）により、紙詰まりを未然に防止できる。
【００５３】
[事例２]
ここでの前提条件は以下の通りである。
・規定排出枚数閾値／１５０枚（普通紙ベース）
・規定排出間隔時間値／５秒
・用紙種類別カウント値テーブル／図４に従う
本実施形態に係る画像形成装置１において、ユーザ指示により、厚紙２００枚の印刷を行うとする印刷ジョブが発生したとする。このケースでは、用紙が印刷され排出される毎に、用紙の種類を判定され、厚紙であるので、用紙種類別カウント値テーブルに基づき、用紙排出１枚ごとに１．５ずつ、累積排出枚数にカウントアップしていく。そして厚紙の排出が１０１枚に到達した時点で、排出枚数閾値１５０枚を越えたと判定されることにより、排出トレイ上の排出用紙は満杯であると判断（検知）されることになる。その後は、紙詰まりを未然に防ぐべく、満杯検知時の制御が実施される。
【００５４】
この事例の場合、排出トレイ上に保持可能な上限の用紙枚数は厚紙１００枚であるのにも拘らず、厚紙２００枚の印刷が指示された。実際に排出トレイ上には保持可能な上限の用紙枚数（用紙分量ともいえる）が排出されているので、満杯検知（及び満杯検知時制御の実施）により、紙詰まりを未然に防止できる。
【００５５】
[事例３]
ここでの前提条件は以下の通りである。
・規定排出枚数閾値／１５０枚（普通紙ベース）
・規定排出間隔時間値／５秒
・用紙種類別カウント値テーブル／図４に従う
本実施形態に係る画像形成装置１において、ユーザ指示により、普通紙４０枚の印刷を行うとする印刷ジョブが発生したとする。用紙が印刷され排出される毎に、用紙の種類を判定され、普通紙であるので、用紙排出１枚ごとに１ずつ、累積排出枚数にカウントアップしていく。普通紙４０枚の印刷完了し排出された時点での累積排出枚数は４０枚である。
【００５６】
ここで先の普通紙４０枚の印刷中に、厚紙４０枚の印刷を行うとする印刷ジョブが発生していたとする（ジョブキューに印刷ジョブが格納されている状態）。従って、上述の普通紙４０枚の印刷完了後、続けてこの厚紙４０枚の印刷が実行される。用紙が印刷され排出される毎に、用紙の種類を判定され、厚紙であるので、用紙種類別カウント値テーブルに基づき、用紙排出１枚ごとに１．５ずつ、累積排出枚数にカウントアップしていく。普通紙ベース換算では６０枚が印刷され排出されたことになるので、厚紙の排出が４０枚完了した時点での累積排出枚数は１００枚である。
【００５７】
またさらに、先の普通紙４０枚の印刷中〜厚紙４０枚の印刷中の間に、普通紙１０枚の印刷を行うとする印刷ジョブが発生したとする。用紙が印刷され排出される毎に、用紙の種類を判定され、普通紙であるので、用紙排出１枚ごとに１ずつ、累積排出枚数にカウントアップしていく。普通紙の排出が１０枚完了した時点での累積排出枚数は１１０枚である。
【００５８】
こうして、この後も次々と印刷ジョブが発生すると、規定排出間隔時間値５秒を経過する間もなく、用紙が排出されるため、累積排出枚数はリセットされることなくやがて規定排出枚数閾値１５０枚に到達し、排出トレイ上の排出用紙は満杯であると判断（検知）される。
【００５９】
この事例の場合、ユーザが排出された用紙を排出トレイ上から回収する間もなく次々と印刷ジョブが発生し、その結果、排出トレイ上の排出用紙は満杯となるものとみなしている。ここでもし、次々と印刷ジョブが発生し、累積排出枚数が１５０枚に達し、排出トレイ上の排出用紙は満杯であると判断（検知）されたものの、この間ユーザが用紙を逐一排出トレイ上から回収しているのであれば、実際の排出トレイ上には満杯状態ではない（余裕がある）ケースもありうる。しかしその一方、ユーザが排出された用紙を排出トレイ上から一切回収していなければ、実際に排出トレイ上は満杯状態になっている。つまり、規定排出間隔時間値を５秒との値に設定することで、連続的な印刷が行われた際の排出枚数を累積的にカウントするようにして、次々と印刷ジョブが発生するという最繁忙期を想定しながら、最悪条件環境下（全く用紙の回収なし）における紙詰まりを未然に防止することができる。
【００６０】
ここで、規定排出間隔時間値を５秒（又はそれ以下の値）に設定するということは、印刷ジョブが途切れる間もない最繁忙期を想定した設定になっているところ、最繁忙期であってもほんの一時的には、印刷ジョブが途切れる場合もある。この場合、用紙排出間隔は５秒以上経過するので、累積排出枚数はリセットされてしまう。にもかかわらず、ユーザが用紙を排出トレイ上から全く回収しなければ、実際排出トレイ上の排出用紙は満杯となったとしても、累積排出枚数は規定排出枚数閾値に達していないため、排出トレイの満杯を検知できないことになる。よって規定排出間隔時間値を長めに設定（例えば３０秒〜１分程度）すると、ほんの一時的には、印刷ジョブが途切れたとしても、累積排出枚数はリセットされず、ユーザが用紙を排出トレイ上から全く回収しないという最悪条件環境下において、実際通りに排出トレイ上の満杯状態を検知できる。このように、環境下に応じて、適切な規定排出間隔時間値を調整し設定することにより、満杯検知の精度を高めることが可能となる。
【００６１】
また、上述では、ユーザが用紙を排出トレイ上から全く回収しないという最悪条件環境下を想定して満杯検知とみなしていたが、多少のユーザは適度に用紙の回収を行うものと想定するのであれば、規定排出枚数閾値を多めに設定（例えば２００枚）するとよい。現実には排出トレイは１５０枚で満杯になるものの、ユーザにより多少の枚数（この場合５０枚）は用紙が回収されると想定されるので、回収枚数分を考慮に入れ、累積排出枚数が２００に到達したときをもって排出トレイ上の排出用紙は満杯であると判断（検知）される。想定通り、ユーザにより５０枚回収されていれば、累積排出枚数が２００枚に達して満杯検知と判断されたとき、現実には排出トレイは１５０枚の用紙が排出されていることになる。このように、環境下に応じて、適切な規定排出枚数閾値を調整し設定することにより、より満杯検知の精度を高めることが可能となる。
【００６２】
[変形例]
次に、上述の実施形態の変形例を説明する。上述の実施形態と本変形例とにおいては、１の用紙が排出される毎にカウントされていた累積排出枚数３２３をリセットする判定方法の点で異なる。上述の実施形態において、リセット部３４０は、１の用紙が排出され次の用紙が排出されるまでの排出間隔時間をカウント（計測）しており、排出機構・排出トレイ２３０から、１の用紙が排出され次の用紙が排出されるまでの排出間隔時間が、規定排出間隔時間値３２２を越えたとき、カウントされていた累積排出枚数３２３をリセットするものであった。
【００６３】
一方、本変形例において、リセット部３４０は、ジョブリスト（ジョブキュー）を参照し、実行中の印刷ジョブの後に、印刷ジョブが待機中（予約中）であるかどうかを判定することにより、累積排出枚数３２３をリセットするものである。最繁忙期には、画像形成装置１は停止するまもなく次々と連続的に印刷ジョブが投入されることが想定される。そこで本変形例では、現行の印刷ジョブ実行中、ジョブリスト（ジョブキュー）を参照し、他の印刷ジョブが待機中（予約中）でない場合、つまり連続的に印刷ジョブが投入されていない場合に、累積排出枚数３２３をリセットする。一方、ジョブリスト（ジョブキュー）を参照し、他の印刷ジョブが待機中（予約中）である場合、つまり連続的に印刷ジョブが投入されている場合、累積排出枚数３２３をリセットせずに、累積排出枚数３２３のカウントを続行する。やがて累積排出枚数３２３が規定排出枚数閾値３２１を越えたと判定された時点で、排出トレイ上の排出用紙は満杯であると判断（検知）され、その後は、紙詰まりを未然に防ぐべく、満杯検知時の制御が実施される。
【００６４】
（機能）
図７は、本変形例に係る画像形成装置１の一実施形態の主要機能を示す機能ブロック図である。図３と比較し、規定排出間隔時間値３２２を削除し、代わりにジョブリスト３２５が追加したものである。またリセット部３４０は、その機能において変形されているため、リセット部２４０−２とした。
【００６５】
（ジョブリスト）
図８は、ジョブリスト例を示す。ジョブリスト３２５は、画像形成装置１に対し、現在投入（予約）されている印刷ジョブをリスト形式で登録した、いわゆるジョブキューである。いうまでもなく、ジョブの割り込みによって実行処理を行う順序を変更することは可能であるが、原則、先入れ先出し法により、ジョブが投入された順々に実行処理されていく。図８のジョブリスト３２５の例によれば、少なくとも３つの印刷ジョブが投入されており、現在実行中の印刷ジョブ（普通紙/４０枚）、次いで待機中の印刷ジョブ（厚紙/４０枚）、待機中の印刷ジョブ（普通紙/１０枚）という順に印刷ジョブが実行される。
【００６６】
なお、ジョブリスト３２５に基づく印刷ジョブの管理は、上述したように装置の構成や設計に応じて管理可能である。例えば、プリント部２２０（エンジンＩ／Ｆ）へは、印刷ジョブ（印刷条件及び画像データを含む）が送られるので、これを取得し印刷ジョブ（印刷枚数や用紙の種類の情報等）を把握することができし、そもそも操作パネル１１からのユーザ入力からも把握できる。またプリント部２２０は印刷を完了すると、プリント部２２０から排出機構２３０へ排出命令を行うので、ここで同様の印刷ジョブを把握できる。またもしくは、上述のコントローラ１３は、全ての機能部の動作を制御しているため、このコントローラ１３によって同様の印刷ジョブを把握できる。
【００６７】
[情報処理]
図９は、本変形例に係る画像形成装置１の満杯検知を説明するシーケンス図である。以下図面を参照しながら説明していく。図５と比べ、Ｓ５０５−２、Ｓ５０６−２の点で異なる。
【００６８】
まず用紙が排出されたかどうかが判定される（Ｓ５０１）。次いでカウント部３１０は、用紙が排出されると、用紙の種類を判定する（Ｓ５０２）。続けてカウント部３１０は、用紙種類別カウント値テーブル３２４を参照し、用紙の種類に従って累積排出枚数３２３のカウントアップを行う（Ｓ５０３）。
【００６９】
満杯検知部３３０は、累積排出枚数３２３と規定排出枚数閾値３２１とを比較し、累積排出枚数３２３が、規定排出枚数閾値３２１を越えたかどうかを判定する（Ｓ５０４）。ここで累積排出枚数３２３が、規定排出枚数閾値３２１を越えたと判定した場合、排出トレイ上の排出用紙は満杯であると判断（検知）する（Ｓ５０８）。
【００７０】
一方、累積排出枚数３２３が、規定排出枚数閾値３２１を越えていない判定された場合は、リセット部３４０は、ジョブリスト３２５を取得する（Ｓ５０５−２）。そして取得したジョブリスト３２５を参照し、現在実行中の印刷ジョブの他に、待機中の印刷ジョブがあるか否かを判定する（Ｓ５０６−２）。
【００７１】
現在実行中の印刷ジョブの他に、待機中の印刷ジョブがあると判定した場合、Ｓ５０１へ再び進み、同様にＳ５０１〜５０４までの処理を繰り返す。つまり、在実行中の印刷ジョブの他に、待機中の印刷ジョブがあるということは、連続的に印刷ジョブが投入されていることを意味するため、累積排出枚数３２３をリセットせずに、累積排出枚数３２３のカウントを続行する。そして繁忙期のように、仮に連続的に印刷ジョブが投入され続けることにより累積排出枚数３２３はリセットされず、用紙が排出され続けていくと、やがて排出トレイは満杯となるところ、累積排出枚数３２３が規定排出枚数閾値３２１を越えたと判定された時点で、排出トレイ上の排出用紙は満杯であると判断される（Ｓ５０８）。またその後は、紙詰まりを未然に防ぐべく、満杯検知時の制御が実施される。
【００７２】
一方、現在実行中の印刷ジョブの他に、待機中の印刷ジョブがなしと判定した場合、リセット部３４０は、累積排出枚数３２３のリセットを行う（Ｓ５０７）。例えば非繁忙期のように、待機中の印刷ジョブがないということは、連続的に印刷ジョブが投入されていないことを意味する。この場合、現在実行中の印刷ジョブ完了後、画像形成装置１は一旦停止する。停止後、暫く時間が空けばユーザが排出された用紙を回収していくので、排出トレイが満杯になる可能性は低いといえる。
【００７３】
[事例３]
これまでの説明を踏まえ、上述の事例３を再び交えて、本変形例に係る満杯検知を説明する。ここでの前提条件は以下の通りである。
【００７４】
ここでの前提条件は以下の通りである。
・規定排出枚数閾値／１５０枚（普通紙ベース）
・用紙種類別カウント値テーブル／図４に従う
本変形例に係る画像形成装置１において、ユーザ指示により、普通紙４０枚の印刷を行うとする印刷ジョブが発生したとする。用紙が印刷され排出される毎に、用紙の種類を判定され、普通紙であるので、用紙排出１枚ごとに１ずつ、累積排出枚数にカウントアップしていく。普通紙４０枚の印刷完了し排出された時点での累積排出枚数は４０枚である。
【００７５】
なおここで、先の普通紙４０枚の印刷中に、厚紙４０枚の印刷を行うとする印刷ジョブが発生していたとする（ジョブキューに印刷ジョブが格納されている状態）。従って、上述の普通紙４０枚の印刷完了後、続けてこの厚紙４０枚の印刷が実行される。用紙が印刷され排出される毎に、用紙の種類を判定され、厚紙であるので、用紙種類別カウント値テーブルに基づき、用紙排出１枚ごとに１．５ずつ、累積排出枚数にカウントアップしていく。普通紙ベース換算では６０枚が印刷され排出されたことになるので、厚紙の排出が４０枚完了した時点での累積排出枚数は１００枚である。
【００７６】
なおまたさらに、先の普通紙４０枚の印刷中〜厚紙４０枚の印刷中の間に、普通紙１０枚の印刷を行うとする印刷ジョブが発生したとする。用紙が印刷され排出される毎に、用紙の種類を判定され、普通紙であるので、用紙排出１枚ごとに１ずつ、累積排出枚数にカウントアップしていく。普通紙の排出が１０枚完了した時点での累積排出枚数は１１０枚である。なおこれまで、累積排出枚数３２３はリセットされていない。
【００７７】
こうして、この後も次々と印刷ジョブが発生すると、ジョブリスト３２５には、常に待機中の印刷ジョブが存在する。ジョブリスト３２５に待機中の印刷ジョブがある場合（Ｓ５０６−２）、累積排出枚数３２３はリセットされることはなく用紙が排出されるため、累積的にカウントされ続ける。やがてやがて規定排出枚数閾値１５０枚に到達した場合、排出トレイ上の排出用紙は満杯であると判断（検知）される。
【００７８】
この事例の場合、次々と印刷ジョブが発生するような繁忙期であるため、ユーザが排出された用紙を排出トレイ上から回収する間もなく、次々と用紙が排出され、やがて排出トレイ上の排出用紙は満杯となるものとみなしている。一方ここでもしも、印刷ジョブが途切れるような非繁忙期であれば、累積排出枚数３２３はリセットされるので（Ｓ５０７）、満杯は検知されない。非繁忙期には、現在実行中の印刷ジョブ完了後、画像形成装置１は一旦停止する。そして暫く時間が空けばユーザが排出された用紙を回収していくので、排出トレイが満杯になる可能性は低いとみなせるためである。
【００７９】
なお、本変形例は、上述の事例３のケースを想定しており、事例１又は事例２のケースは想定しないものとする。即ち、事例３のような１の印刷ジョブによる印刷枚数（排出枚数）が、一度で規定排出枚数閾値３２１を越えてしまう場合を除く。つまり、ユーザは１の印刷ジョブで規定排出枚数閾値３２１を超えるような大量枚数を１度に印刷することはなく、ユーザが１の印刷ジョブで指定できる印刷枚数の上限は、規定排出枚数閾値３２１を超えない。具体的に、規定排出枚数閾値３２１が普通紙ベースで１５０枚の場合、ユーザは１の印刷ジョブで指定できる印刷枚数の上限は、普通紙ベースで１４９枚以下である。
【００８０】
具体的なその理由としては、例えば規定排出枚数閾値３２１を超えるような大量枚数を１度に印刷する印刷ジョブが投入されてしまうと、ジョブリスト３２５にて待機中の印刷ジョブがない場合、累積排出枚数３２３はリセットされたうえ、用紙が排出されるため、実際には規定排出枚数閾値３２１を越えたにも拘らず、これを判断できない。つまり規定排出枚数閾値３２１を超えるような大量枚数を１度に印刷する印刷ジョブが投入されてしまうと、満杯を検知できないためである。即ち本変形例は、ユーザが１の印刷ジョブで指定できる印刷枚数の上限は規定排出枚数閾値３２１を超えないことを前提とすることが必要である。
【００８１】
以上の本発明によれば、満杯検知センサーといった物理的な機構を要することなく、排紙トレイ上の用紙の満杯検知を行う用紙排出装置等を提供することが可能となる。
【００８２】
各実施形態に基づき本発明の説明を行ってきたが、上記各実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。また、本発明の構成要素、表現または構成要素の任意の組合せを、方法、装置、システム、コンピュータプログラム、記録媒体、などに適用したものも本発明の態様として有効である。
【００８３】
例えば、たとえ満杯検知センサーを備える画像形成装置であっても、本発明機能を備えるようにすると、満杯検知センサーが故障した場合（また何らかの要因により検知に失敗等）の補完機能として活用することも可能である。
【符号の説明】
【００８４】
１        画像形成装置
１１        操作パネル
１１ａ    入力装置
１１ｂ    表示装置
１２        記憶メディアＩ／Ｆ
１２ａ    ドライブ装置
１３        コントローラ
１３ａ    ＲＯＭ
１３ｂ    ＲＡＭ
１３ｃ    ＣＰＵ
１４        データ通信Ｉ／Ｆ
１４ａ    インタフェース装置
１５        スキャナ
１５ａ    画像読取装置
１６        プロッタ
１６ａ    印刷装置
１７        ＨＤＤ
２１０    画像描画部
２２０    プリント部
２３０    排出機構・排出トレイ
３１０    カウント部
３２０    記憶部
３３０    満杯検知部
３４０    リセット部
【先行技術文献】
【特許文献】
【００８５】
【特許文献１】特開２００３−１９２２２５号公報
【図１】
2015193484.tif 000003
【図２】
2015193484.tif 000004
【図３】
2015193484.tif 000005
【図４】
2015193484.tif 000006
【図５】
2015193484.tif 000007
【図６】
2015193484.tif 000008
【図７】
2015193484.tif 000009
【図８】
2015193484.tif 000010
【図９】
2015193484.tif 000011
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
排出トレイ上に用紙を排出する排出手段と、
前記排出手段により用紙が排出される毎に、累積排出枚数をカウントするカウント手段と、
前記排出手段により１の用紙が排出され次の用紙が排出されるまでの時間が、予め記憶されている規定排出間隔時間値を越えたとき、前記カウント手段によりカウントされていた累積排出枚数をリセットするリセット手段と、
前記カウント手段によりカウントされた累積排出枚数が、前記リセット手段でリセットされることなく予め記憶された規定排出枚数閾値を超えたとき、排出トレイ上の排出用紙は満杯であると検知する検知手段と、
を有することを特徴とする用紙排出装置。
【請求項２】
排出トレイ上に用紙を排出する排出手段と、
前記排出手段により用紙が排出される毎に、累積排出枚数をカウントするカウント手段と、
前記排出手段により１の用紙が排出され次の用紙が排出されるまでの時間が、予め記憶されている規定排出間隔時間値を越えたとき、前記カウント手段によりカウントされていた累積排出枚数をリセットするリセット手段と、
前記カウント手段によりカウントされた累積排出枚数が、前記リセット手段でリセットされることなく予め記憶された規定排出枚数閾値を超えたとき、用紙を排紙トレイから回収することを促す旨を表示する表示部と、
を有することを特徴とする用紙排出装置。
【請求項３】
前記規定排出間隔時間値は変更可能であることを特徴とする請求項１又は２に記載の用紙排出装置。
【請求項４】
前記カウント手段によりカウントされた累積排出枚数が、前記規定排出枚数閾値を超えたとき、印刷継続を受け付ける旨を表示すると共に前記印刷継続の指示を受け付ける入力受付部を有し、
前記入力受付部が前記印刷継続の指示を受け付けた場合、印刷を継続させる請求項１又は２に記載の用紙排出装置。
【請求項５】
前記カウント手段によりカウントされた累積排出枚数が、前記規定排出枚数閾値を超えたとき、ジョブリセットを受け付ける旨を表示すると共に前記ジョブリセットの指示を受け付ける入力受付部を有し、
前記入力受付部が前記ジョブリセットの指示を受け付けた場合、印刷をキャンセルする請求項１又は２に記載の用紙排出装置。
【手続補正３】
【補正対象書類名】明細書
【補正対象項目名】０００１
【補正方法】変更
【補正の内容】
【０００１】
本発明は、用紙排出装置に関する。
【手続補正４】
【補正対象書類名】明細書
【補正対象項目名】００１０
【補正方法】変更
【補正の内容】
【００１０】
そこで、本発明では上記のような問題に鑑みて、満杯検知センサーといった物理的な機構を要することなく、排紙トレイ上の用紙の満杯検知を行う用紙排出装置を提供することを目的とする。
【手続補正５】
【補正対象書類名】明細書
【補正対象項目名】００１１
【補正方法】変更
【補正の内容】
【００１１】
上記の目的を達成するために、本発明に係る用紙排出装置は、排出トレイ上に用紙を排出する排出手段と、前記排出手段により用紙が排出される毎に、累積排出枚数をカウントするカウント手段と、前記排出手段により１の用紙が排出され次の用紙が排出されるまでの時間が、予め記憶されている規定排出間隔時間値を越えたとき、前記カウント手段によりカウントされていた累積排出枚数をリセットするリセット手段と、前記カウント手段によりカウントされた累積排出枚数が、前記リセット手段でリセットされることなく予め記憶された規定排出枚数閾値を超えたとき、排出トレイ上の排出用紙は満杯であると検知する検知手段と、を有する。
また、上記の目的を達成するために、本発明に係る用紙排出装置は、排出トレイ上に用紙を排出する排出手段と、前記排出手段により用紙が排出される毎に、累積排出枚数をカウントするカウント手段と、前記排出手段により１の用紙が排出され次の用紙が排出されるまでの時間が、予め記憶されている規定排出間隔時間値を越えたとき、前記カウント手段によりカウントされていた累積排出枚数をリセットするリセット手段と、前記カウント手段によりカウントされた累積排出枚数が、前記リセット手段でリセットされることなく予め記憶された規定排出枚数閾値を超えたとき、用紙を排紙トレイから回収することを促す旨を表示する表示部と、を有する。
【手続補正６】
【補正対象書類名】明細書
【補正対象項目名】００１２
【補正方法】変更
【補正の内容】
【００１２】
本発明によれば、満杯検知センサーといった物理的な機構を要することなく、排紙トレイ上の用紙の満杯検知を行う用紙排出装置を提供することができる。